(57)【特許請求の範囲】
【請求項１】
バネ性を有するプレートよりなり、配管の漏洩部に対応する内面位置にシール部材が取り付けられ、配管に巻回装着される配管装着部材と、
一方側縁が前記配管装着部材の一方側縁に固定され、かつ、他方側縁が前記配管装着部材の他方側縁に取り外し可能に係止される固定側部材と、
前記固定側部材に変位可能に取り付けられる前記配管への固定具とからなり、
前記配管装着部材が前記配管に巻回装着される状態において、前記係止が行われることで前記配管に前記配管装着部材がバネ力により保持されて仮止め状態となり、その仮止め状態において前記固定具により前記配管に固定されることで前記配管の前記漏洩部に前記シール部材が押し付けられて密着することを特徴とする配管用補修具。
【請求項２】
配管の漏洩部に対応する内面位置にシール部材が取り付けられ、配管に巻回装着される配管装着部材と、
一方側縁が前記配管装着部材の一方側縁に固定され、かつ、他方側縁が前記配管装着部材の他方側縁に取り外し可能に係止される固定側部材と、
前記固定側部材に変位可能に取り付けられる前記配管への固定具とからなり、
前記固定具が、
前記固定側部材を挿通して配置される操作体と、
前記固定側部材の前記配管に相対する側に、前記配管に沿うように、かつ、前記配管側に移動可能に取り付けられ、前記操作体の先端部で押されることで前記配管を押す状態で固定する固定体とからなり、
前記操作体の操作により前記固定体で前記配管に固定され、前記固定状態において前記配管の前記漏洩部に前記シール部材が押し付けられて密着することを特徴とする配管用補修具。
【発明の詳細な説明】
【技術分野】
【０００１】  この発明は、配管用補修具に関する。
【背景技術】
【０００２】  気体や液体の流体を移送する配管が損傷、破損してその部分から流体が漏洩した場合、その漏洩を止めるべく補修作業が行われる。従来におけるその一般的な補修は、漏洩部に沿う弾性部材が内面に取り付けられた補修具を管を囲むように配置し、それを固定することで行われている。
【発明の概要】
【発明が解決しようとする課題】
【０００３】  配管漏洩部の補修は迅速に、かつ、安定した構造において行う必要があるが、従来の補修具はその点において不満足であった。【０００４】  この発明は上記の点に鑑みて行ったもので、手間がかかることなく一人で迅速に、さらに、安定した構造において配管漏洩部の補修が行えるようにすることを目的とする。
【課題を解決するための手段】
【０００５】  第１の発明（請求項１の発明）では、バネ性を有するプレートよりなり、配管の漏洩部に対応する内面位置にシール部材が取り付けられ、配管に巻回装着される配管装着部材と、一方側縁が前記配管装着部材の一方側縁に固定され、かつ、他方側縁が前記配管装着部材の他方側縁に取り外し可能に係止される固定側部材と、前記固定側部材に変位可能に取り付けられる前記配管への固定具とからなり、前記配管装着部材が前記配管に巻回装着される状態において、前記係止が行われることで前記配管に前記配管装着部材がバネ力により保持されて仮止め状態となり、その仮止め状態において前記固定具により前記配管に固定されることで前記配管の前記漏洩部に前記シール部材が押し付けられて密着することを特徴とする配管用補修具を提供する。【０００６】  上記構成によれば、配管の漏洩部にシール部材を合わせて配管装着部材を配管に巻回装着させ、配管装着部材の他方側縁を固定側部材の他方側縁に係止することで配管装着部材がバネ力により配管に保持されて配管用補修具は配管に仮止め状態となり、その仮止め状態において固定具により配管に固定されることで配管の漏洩部にシール部材が押し付けられて密着し、これにより、配管の漏洩部からの流体の漏洩が阻止される。配管用補修具を仮止め状態とできることで配管への固定作業が容易になされる。【０００７】  第２の発明（請求項２の発明）では、配管の漏洩部に対応する内面位置にシール部材が取り付けられ、配管に巻回装着される配管装着部材と、一方側縁が前記配管装着部材の一方側縁に固定され、かつ、他方側縁が前記配管装着部材の他方側縁に取り外し可能に係止される固定側部材と、前記固定側部材に変位可能に取り付けられる前記配管への固定具とからなり、前記固定具が、前記固定側部材を挿通して配置される操作体と、前記固定側部材の前記配管に相対する側に、前記配管に沿うように、かつ、前記配管側に移動可能に取り付けられ、前記操作体の先端部で押されることで前記配管を押す状態で固定する固定体とからなり、前記操作体の操作により前記固定体で前記配管に固定され、前記固定状態において前記配管の前記漏洩部に前記シール部材が押し付けられて密着することを特徴とする配管用補修具を提供する。【０００８】  上記構成によれば、配管の漏洩部にシール部材を合わせて配管装着部材を配管に巻回装着させ、配管装着部材の他方側縁を固定側部材の他方側縁に係止し、操作体の操作により固定体が配管を押すことで配管用補修具は配管に固定されるとともに配管の漏洩部にシール部材が押し付けられて密着し、これにより、配管の漏洩部からの流体の漏洩が阻止される。配管への固定が操作体の操作により容易に行われ、配管の押し動作が配管に沿うように配置された固定体により行われるので、その押圧力が偏ることなく配管に伝わってシール部材の漏洩部への密着が安定して行われ、かつ、ボルト等により構成される操作体の端部が直接配管に接触することがなくて配管の損傷が防がれる。
【発明の効果】
【０００９】  第１の発明によれば、配管用補修具を仮止め状態とできることで配管への固定作業が容易になされ、これにより一人で迅速に配管の補修作業が行える。第２の発明によれば、配管への固定が操作体の操作により容易に行われ、これにより一人で迅速に配管の補修作業が行える。さらに、固定体の押圧力が偏ることなく配管に伝わることでシール部材の配管漏洩部への密着が安定して行われるとともに、配管の損傷も防がれる。
【図面の簡単な説明】
【００１０】
【図１】この発明の配管用補修具の外観斜視図
【図２】この発明の配管用補修具の使用状態の外観斜視図
【図３】この発明の配管用補修具の使用状態の断面構成図
【発明を実施するための形態】
【００１１】  図１はこの発明の配管用補修具の外観斜視図、図２は同使用状態の外観斜視図、図３は同使用状態の断面構成図である。
【００１２】  配管用補修具１は、ステンレス製の薄板よりなる配管装着部材３と、ステンレス製の厚板が折り曲げ成形された固定側部材５と、ステンレス製の厚板が打ち抜き加工されるとともに折り曲げ成形された固定体７と、２本の固定ボルト（操作体）８、８とから構成される。
【００１３】  配管装着部材３はその湾曲する内面に沿って弾性を有するシール部材９が貼り付けられ、その先端側縁１２に沿ってステンレス製の係止縁材１０が固着されている。配管装着部材３はその基部縁１３が固定側部材５の一方側縁１５に固着されて固定側部材５に一体に固定されている。
【００１４】  固定側部材５面には上下に上記固定ボルト８、８が装着されるネジ穴１７、１７がそれぞれ設けられ、それらネジ穴１７、１７の内面位置には固定ナット２３、２３が一体に固着されている。上折り曲げ部１８の上面と下折り曲げ部１９の下面にはその中央にそれぞれ上下に突出する突起部２０、２０のそれぞれが一体に固着され、さらに他方側縁２１の折り曲げ部が上記配管装着部材３の係止縁材１０が係止される係止部２４となっている。
【００１５】  固定体７は上下の折り曲げ部２５、２６のそれぞれに長穴２７、２８それぞれが設けられ、それら長穴２７、２８それぞれに上記突起部２０、２０のそれぞれが嵌入される状態において固定側部材５に取り付けられ、長穴２７、２８内に突起部２０、２０が位置することで固定体７はその長穴２７、２８の長さ寸法において水平方向に移動可能となっている。固定体７の固定側部材５への取り付けは、上折り曲げ部１８と下折り曲げ部１９とを若干拡開するようにして長穴２７、２８それぞれに突起部２０のそれぞれを嵌入して行う。
【００１６】  以下、配管用補修具１の使用について説明する。図１の状態は配管用補修具１の非使用時であり、その係止縁材１０は係止部２４に係止されておらず、その部分において配管装着部材３は開いた状態となっている。
【００１７】  配管５０への取り付けはその開き部５１を若干拡開するようしてそこから配管５０を入れるようにして行い、その際、配管５０の漏洩部６０にシール部材９が相対するように位置させる。配管５０を入れた状態で係止縁材１０を係止部２４に係止することで配管５０に配管装着部材３が弾力的に外接する状態となり、これにより配管用補修具１は配管５０に仮止め状態に保持される。上記の外接位置は、主にシール部材９と先端側縁１２及び基部縁１３に近い部位の３か所Ａ、Ｂ、Ｃとなる。
【００１８】  次に固定ボルト８、８それぞれを交互にネジ込んでいくと、それらの先端部に押されることで固定体７は配管５０側に移動してその縦長の押圧面７１の全体により配管５０面を押圧する。固定ボルト８、８それぞれを十分にネジ込むことで固定体７の押圧により配管５０の漏洩部６０にシール部材９が弾力的に密着し、これにより漏洩部６０が確実に塞がれてそこからの流体の漏洩が回避される。
【００１９】  上記の取り付け作業に際し、配管用補修具１を配管５０に仮止めした状態で固定ボルト８、８をネジ込むこみその取り付けが行えるので、一人の作業者により容易に短時間でその作業が行われる。さらに、その取り付け状態においては、配管５０に沿う固定体７により配管５０が押圧されるので、その押圧力が偏ることなく配管５０に伝わり、これにより、シール部材９による漏洩部６０への密着が安定して行われ、かつ、固定ボルト８、８の先端部が直接配管５０に接触することがなくて配管５０の損傷が防がれる。
【符号の説明】
【００２０】１  配管用補修具
３  配管装着部材
５  固定側部材
７  固定体（固定具）
８  固定ボルト（固定具、操作体）
９  シール部材
５０  配管
６０  漏洩部
【要約】
【課題】  手間がかかることなく一人で迅速に配管漏洩部の補修が行えるようにする。
【解決手段】  バネ性を有するプレートよりなり、配管５０の漏洩部６０に対応する内面位置にシール部材９が取り付けられ、配管５０に巻回装着される配管装着部材３と、一方側縁が配管装着部材３の一方側縁に固定され、かつ、他方側縁が配管装着部材３の他方側縁に取り外し可能に係止される固定側部材５と、固定側部材５に変位可能に取り付けられる配管への固定具７、８とからなり、配管装着部材３が配管５０に巻回装着される状態において、上記係止が行われることで配管５０に配管装着部材３がバネ力により保持されて仮止め状態となり、その仮止め状態において固定具７、８により配管５０に固定されることで配管５０の漏洩部６０にシール部材９が押し付けられて密着することを特徴とする配管用補修具。
【選択図】図１【図１】
0005413696.tif 000002
【図２】
0005413696.tif 000003
【図３】
0005413696.tif 000004